(57)【要約】【課題】  デジタル複写機やカラー複写機などの画像形成装置では装置本体の上部に画像読取装置が配置されており走査光学装置を本体上方から着脱することは困難である。そのため走査光学装置の着脱は本体横から行うことになるが、装置本体フレーム上に有る位置決め穴に走査光学装置の位置決めピンを挿入する場合の位置合わせ、とくに挿入する方向から見て前後方向の位置合わせが難しくなる。【解決手段】  走査光学装置には本体に位置決めするための位置決めピンが挿入方向に対し直角方向かつ手前側に配設されており、位置決めピン付近には反射手段を配置され、挿入方向から反射手段を介して位置決めピン先端とその周囲を目視確認可能とする。【選択図】  図１
2006198886.tif 000002
【特許請求の範囲】
【請求項１】
走査光学装置を本体横から挿入するような画像形成装置において、
走査光学装置には本体に位置決めするための位置決めピンが挿入方向に対し直角方向かつ手前側に配設されており、位置決めピン付近には反射手段を配置され、挿入方向から反射手段を介して位置決めピン先端とその周囲を目視確認可能なことを特徴とする画像形成装置。
【請求項２】
走査光学装置を本体横から挿入するような画像形成装置において、
走査光学装置には本体に位置決めするための位置決めピンが挿入方向に対し直角方向かつ手前側に配設されており、本体上には位置決め目標を設け、走査光学装置の位置決め目標上方に対応する位置に反射手段を配置し、反射手段あるいはその近傍に指標を設け、挿入方向から反射手段を介して走査光学装置指標を本体目標に一致させると位置決めピンが位置決め穴位置に一致することを特徴とする画像形成装置。
【請求項３】
走査光学装置を本体水平面上に取り付けるような画像形成装置において、
走査光学装置には本体に位置決めするための位置決めピンが挿入方向に対し直角方向かつ手前側に配設されており、本体水平面上には位置決めピンが嵌合する穴や締結に用いられる穴のほかに走査光学装置の本体上での位置を確認するための穴または刻印あるいは突起を有することを特徴とする画像形成装置。
【発明の詳細な説明】
【技術分野】
【０００１】
本発明は、レーザビームプリンタやデジタル複写機等の画像形成装置に関するものである。
【背景技術】
【０００２】
デジタル複写機やカラー複写機などの画像形成装置では、図９に示す様に、装置本体１の上部に画像読取装置４が配置されており走査光学装置３を本体上方から着脱することは困難である。そのため走査光学装置の着脱は本体横から行うことになる。また走査光学装置の固定は上方からのビス固定も難しくバネにより取り付け部を本体フレーム９および１０に固定することになる（例えば、特許文献１参照）。
【特許文献１】特開２００２−２３０９４号公報
【発明の開示】
【発明が解決しようとする課題】
【０００３】
しかしながら一般に走査光学装置は本体フレーム上に位置決めされて取り付けられるため、本体フレーム９上には位置決め穴９ａ、９ｂが設けられ走査光学装置３には二本の位置決めピン３ａが下方に突出して設けられている。取り付けの際にはこの二本の位置決めピン３ａを位置決め穴９ａ、９ｂに挿入しなければならず、本体フレーム上にガイドを設けても本体横から本体中ほどに有る位置決め穴に位置決めピンを挿入する場合の位置合わせ、とくに挿入する方向から見て前後方向の位置合わせが難しくなる。
【０００４】
本発明は、上述の課題に鑑みてなされたものであり、走査光学装置を本体横方向から取り付ける作業を容易にすることを目的としたものである。
【課題を解決するための手段】
【０００５】
本発明による画像形成装置は、第一に、本体横から挿入するような画像形成装置において、走査光学装置には本体に位置決めするための位置決めピンが挿入方向に対し直角方向かつ手前側に配設されており、位置決めピン付近には反射手段を配置され、挿入方向から反射手段を介して位置決めピン先端とその周囲を目視確認可能なことを特徴とする。
【０００６】
第二に、走査光学装置を本体横から挿入するような画像形成装置において、走査光学装置には本体に位置決めするための位置決めピンが挿入方向に対し直角方向かつ手前側に配設されており、本体上には位置決め目標を設け、走査光学装置の位置決め目標上方に対応する位置に反射手段を配置し、反射手段あるいはその近傍に指標を設け、挿入方向から反射手段を介して走査光学装置指標を本体目標に一致させると位置決めピンが位置決め穴位置に一致することを特徴とする。
【０００７】
第三に、走査光学装置を本体水平面上に取り付けるような画像形成装置において,走査光学装置には本体に位置決めするための位置決めピンが挿入方向に対し直角方向かつ手前側に配設されており、本体水平面上には位置決めピンが嵌合する穴や締結に用いられる穴のほかに走査光学装置の本体上での位置を確認するための穴または刻印あるいは突起を有することを特徴とする。
【発明の効果】
【０００８】
本発明によれば、走査光学装置を本体横から挿入して取り付ける場合にも走査光学装置に設けられた位置決めピンと本体フレームに設けられた位置決め穴の位置合わせが直接視認可能あるいは代用部位の位置合わせを視認可能とすることで組み込み作業が確実で容易となる。
【発明を実施するための最良の形態】
【０００９】
本発明の実施の形態を図面に基づいて説明する。
【００１０】
（第１の実施の形態）
図１、２は第１実施例による走査光学装置と画像形成装置の本体フレームを示したものである。
【００１１】
光学箱４１に設けられた二本の位置決めピン４１ａは本体横から走査光学装置を挿入する際に手前側になるように配置され、二本の位置決めピン４１ａ近傍には反射手段であるミラー４２が配置されている。このミラー４２は本体横から走査光学装置を挿入する際に位置決めピン４１ａの先端とその付近を反射像Ｍとして見ることが可能なように配置されている。これにより反射像Ｍで位置決めピン４１ａ先端と本体フレーム９の位置決め穴９ａ、９ｂの位置が合っているかの目視確認が可能となり走査光学装置の本体組み込みが容易になる。
【００１２】
（第２の実施の形態）
図３，４は第２の実施例を示したものである。
【００１３】
光学箱５１に設けられた二本の位置決めピン５１ａの近傍には反射手段である直角プリズム５２が配置されている。直角プリズムの下面５２ａには指標５２ｃが設けられている。５２ｂは反射面となる斜面である。本体フレーム５３には位置決め穴５３ａ、５３ｂのほかに目標となる十字の刻印５３ｃがつけてあり、直角プリズム５２の斜面による反射像Ｍのより直角プリズム５２の指標５２ｃと本体フレーム５３上にある目標の十字刻印５３ｃを一致させるようにすれば走査光学装置の位置決めピン５１ａの位置が本体フレームの位置決め穴５３ａ、５３ｂに一致するように配置されている。
【００１４】
（第３の実施の形態）
図５，６は第３の実施例を示したものである。
【００１５】
光学箱６１に設けられた二本の位置決めピン６１ａの近傍には反射手段であるミラー６２が配置されている。光学箱６１のミラー６２の下にあたる部分には開口部６１ｂが設けられ開口部６１ｂには指標となる突起が設けられている。前述に実施例同様ミラー６２の反射像Ｍのより指標６１ｃと本体フレーム５３上にある目標の十字刻印５３ｃを一致させるようにすれば走査光学装置の位置決めピン６１ａの位置が本体フレームの位置決め穴５３ａ、５３ｂに一致するように配置されている。
【００１６】
（第４の実施の形態）
図７，８は第４の実施例を示したものである。
【００１７】
光学箱６１に設けられた二本の位置決めピン７１ａの近傍には反射手段であるミラー７２が配置されている。ミラー７２の表面には指標７２ａが印刷されている。本体フレーム７３には位置決め穴７３ａ、７３ｂのほかに目標となる穴７３ａが設けてあり、前述に実施例同様ミラー７２の反射像Ｍのより指標７２ａと本体フレーム７３上にある目標の穴７３ｃを一致させるようにすれば走査光学装置の位置決めピン７１ａの位置が本体フレームの位置決め穴に一致するように配置されている。
【図面の簡単な説明】
【００１８】
【図１】第１の実施例による走査光学装置と本体フレーム。
【図２】第１の実施例による走査光学装置と本体フレーム。
【図３】第２の実施例による走査光学装置と本体フレーム。
【図４】第２の実施例による走査光学装置と本体フレーム。
【図５】第３の実施例による走査光学装置と本体フレーム。
【図６】第３の実施例による走査光学装置と本体フレーム。
【図７】第４の実施例による走査光学装置と本体フレーム。
【図８】第４の実施例による走査光学装置と本体フレーム。
【図９】画像形成装置を示す図。
【符号の説明】
【００１９】
１  画像形成装置
２  回転ドラム
３  走査光学装置
４  画像読取装置
５〜８  紙収納スペース
９〜１１  本体フレーム
３１、４１、５１、６１、７１  光学箱
４２、６２、７２  ミラー
５２  プリズム
【図１】
2006198886.tif 000003
【図２】
2006198886.tif 000004
【図３】
2006198886.tif 000005
【図４】
2006198886.tif 000006
【図５】
2006198886.tif 000007
【図６】
2006198886.tif 000008
【図７】
2006198886.tif 000009
【図８】
2006198886.tif 000010
【図９】
2006198886.tif 000011